(57)【特許請求の範囲】
【請求項１】
磁気識別情報と、前記磁気識別情報とは異なる他の識別情報とが表紙側に付された通帳類を取り扱う通帳類取扱装置であって、
前記磁気識別情報を読取る磁気読取り機構部と、
前記他の識別情報を読取る読取り機構部と、
前記磁気読取り機構部と前記読取り機構部とを、前記磁気識別情報または前記他の識別情報の読取方向に移動させる移動機構部と、
前記磁気読取り機構部を前記通帳類から離間して配置するためのガイド機構部と、
前記読取り機構部が前記他の識別情報を読取る際に、前記磁気読取り機構部を前記通帳類に接触させないように前記ガイド機構部に沿って移動させる制御部と、
を備えたことを特徴とする通帳類取扱装置。
【請求項２】
前記磁気読取り機構部および前記読取り機構部は一体で前記移動機構部によって前記読取方向に移動される、
ことを特徴とする請求項１に記載の通帳類取扱装置。
【請求項３】
前記移動機構部は前記読取方向と同じ方向に一の軸を有し、
前記磁気読取り機構部および前記読取り機構部は、前記一の軸を同軸として前記読取方向に移動される、
ことを特徴とする請求項１又は２に記載の通帳類取扱装置。
【請求項４】
前記制御部は、前記読取り機構部により前記他の識別情報が読取られたか否かにより、前記磁気読取機構部により前記磁気識別情報を読み取るか否かを判定する、
ことを特徴とする請求項１〜３のいずれか１項に記載の通帳類取扱装置。
【請求項５】
前記磁気読取り機構部は、前記軸を中心として回動可能に構成され、前記軸の中心方向から伸び出たアームに前記磁気識別情報を読取るための磁気識別情報読取り部を有し、
前記制御部は、前記読取り機構部が前記他の識別情報を読取る際に、前記ガイド機構部によって前記磁気読取り機構部の前記アームを回動方向とは逆方向に押さえることにより、前記磁気読取り機構部を前記通帳類に接触させずに前記ガイド機構部に沿って前記移動
機構部を移動させる、
ことを特徴とする請求項３または４に記載の通帳類取扱装置。
【請求項６】
前記ガイド機構部は、前記読取方向に前記磁気識別情報読取り部が移動した場合における前記磁気識別情報読取り部の上下方向の位置を規制する制御ガイドを有し、
前記制御ガイドは、少なくとも前記読取り機構部が前記他の識別情報を読取る間、前記磁気識別情報読取り部を前記回動方向とは逆方向に押さえられた状態を維持する程度の長さである、
ことを特徴とする請求項５に記載の通帳類取扱装置。
【請求項７】
前記アームは、前記通帳類に付された前記磁気識別情報および前記他の識別情報の前記通帳の搬送方向における位置に応じて、そのアームの長さが定められる、
ことを特徴とする請求項５または６に記載の通帳類取扱装置。
【請求項８】
前記磁気識別情報は磁気ストライプであり、前記他の識別情報はバーコードである、
ことを特徴とする請求項１〜７のいずれか１項に記載の通帳類取扱装置。
【発明の詳細な説明】
【技術分野】
【０００１】
本発明は、通帳類取扱装置に関する。
【背景技術】
【０００２】
従来から、通帳類に付されたバーコードおよび磁気ストライプを読み取ることが可能な様々な通帳類取引装置が存在する。例えば、特許文献１では、通帳に付されたバーコードが所定の位置で認識可能か否かを判別することによって通帳の種類を特定し、その種類の通帳に付されている磁気ストライプを読み取る技術が開示されている。
【先行技術文献】
【特許文献】
【０００３】
【特許文献１】特開２００３−１９６７０８号公報
【発明の概要】
【発明が解決しようとする課題】
【０００４】
上述した特許文献１では、通帳の種類を、その通帳に付されたバーコードを認識することにより特定し、磁気ストライプを読取っている。しかしながら、上記特許文献１に記載された方法は、通帳の取引内容印字面側に付されたバーコードを読み取った上で、通帳表紙側に付された磁気ストライプを読み取ることを前提とするものである。すなわち、バーコードおよび磁気ストライプの両方が通帳表紙側に付されていることを前提とするものではない。
【０００５】
バーコードおよび磁気ストライプの両方が表紙側に付されている通帳を一つの装置で取り扱う場合、磁気ストライプに記録された磁気データの読取りや書込みを行う磁気ヘッドと、バーコードの読取りや書込みを行うデバイスとを近接して実装することにより、省スペースかつ簡素な機構で、バーコードおよび磁気ストライプの読取り等が可能となる。
【０００６】
しかしながら、バーコードと磁気ストライプとの位置が近接するような場合、次の問題が生じる。すなわち、磁気データの読取りには磁気ヘッドを磁気ストライプに接触させる必要があるため、磁気ヘッドとバーコードを読み取るためのデバイスとを近接して実装した場合、そのデバイスがバーコードを読み取る際に磁気ヘッドに接触してしまうことがある。このような接触により、磁気ヘッドに付着している磁気ストライプの磁性粉やその他の汚れ等がそのデバイスに付着し、通帳の表紙、あるいはそのデバイス自体を汚損させてしまい、バーコードの読み取り精度の低下や誤認識を招いてしまうという問題があった。
【０００７】
本発明は、上記に鑑みてなされたものであって、バーコードを読み取るためのデバイスや通帳の表紙を汚損させることのない通帳類取扱装置を提供することを目的とする。
【課題を解決するための手段】
【０００８】
上述した課題を解決し、目的を達成するために、本発明にかかる通帳類取扱装置は、磁気識別情報と、前記磁気識別情報とは異なる他の識別情報とが表紙側に付された通帳類を取り扱う通帳類取扱装置であって、前記磁気識別情報を読取る磁気読取り機構部と、前記他の識別情報を読取る読取り機構部と、前記磁気読取り機構部と前記読取り機構部とを、前記磁気識別情報または前記他の識別情報の読取方向に移動させる移動機構部と、前記磁気読取り機構部を前記通帳類から離間して配置するためのガイド機構部と、前記読取り機構部が前記他の識別情報を読取る際に、前記磁気読取り機構部を前記通帳類に接触させないように前記ガイド機構部に沿って移動させる制御部と、を備えたことを特徴とする。
【発明の効果】
【０００９】
本発明によれば、バーコードを読み取るためのデバイスや通帳の表紙を汚損させることのない通帳類取扱装置を提供することができる。
【図面の簡単な説明】
【００１０】
【図１】本実施の形態における通帳記帳装置の構成を示す図である。
【図２Ａ】通帳に付されたバーコードや磁気ストライプの例を示す図である。
【図２Ｂ】通帳に付されたバーコードや磁気ストライプの例を示す図である。
【図２Ｃ】通帳に付されたバーコードや磁気ストライプの例を示す図である。
【図２Ｄ】通帳に付されたバーコードや磁気ストライプの例を示す図である。
【図２Ｅ】通帳に付されたバーコードや磁気ストライプの例を示す図である。
【図２Ｆ】通帳に付されたバーコードや磁気ストライプの例を示す図である。
【図２Ｇ】通帳に付されたバーコードや磁気ストライプの例を示す図である。
【図３】図１に示した通帳記帳装置の機能的な構成を示すブロック図である。
【図４Ａ】磁気データ処理機構部及び通帳表紙側バーコード読取機構部の構成および動作の推移の例を示す図である。
【図４Ｂ】磁気データ処理機構部及び通帳表紙側バーコード読取機構部の構成および動作の推移の例を示す図である。
【図４Ｃ】磁気データ処理機構部及び通帳表紙側バーコード読取機構部の構成および動作の推移の例を示す図である。
【図４Ｄ】磁気データ処理機構部及び通帳表紙側バーコード読取機構部の構成および動作の推移の例を示す図である。
【図４Ｅ】磁気データ処理機構部及び通帳表紙側バーコード読取機構部の構成および動作の推移の例を示す図である。
【図４Ｆ】磁気データ処理機構部及び通帳表紙側バーコード読取機構部の構成および動作の推移の例を示す図である。
【図４Ｇ】磁気データ処理機構部及び通帳表紙側バーコード読取機構部の構成および動作の推移の例を示す図である。
【図５】通帳記帳装置が行う記帳処理の処理手順を示すフローチャートである。
【図６】図５に示した読取り処理の処理手順を示すフローチャートである。
【発明を実施するための形態】
【００１１】
以下に添付図面を参照して、本発明にかかる通帳類取扱装置の実施の形態を詳細に説明する。以下では、本発明にかかる通帳類取扱装置を、通帳記帳装置に適用した場合について説明しているが、ＡＴＭ（Automated  Teller  Machine）等、これと同様の機構を有した装置であれば、適用することが可能である。
【実施例１】
【００１２】
図１は、本実施の形態における通帳記帳装置１００の構成を示す図である。図１に示すように、通帳記帳装置１００は、搬送機構部１０１と、磁気データ処理機構部１０２と、通帳印字面側バーコード読取機構部１０３と、通帳表紙側バーコード読取機構部１０４と、印字機構部１０５と、画像データ取込機構部１０６と、頁替機構部１０７と、通帳発行機構部１０８と、通帳回収機構部１０９と、制御部１１０と、通信部１１１と、を有して構成されている。
【００１３】
搬送機構部１０１は、挿入口１１２から挿入された通帳１や通帳発行機構部１０８から繰出された通帳１を、搬送路を通じて記帳処理の内容に応じた各機構部に搬送する。また、搬送機構部１０１は、記帳処理が終了した通帳１や通帳発行機構部１０８から発行された通帳１を、搬送路を通じて挿入口１１２まで搬送し、通帳１を返却させる。
【００１４】
磁気データ処理機構部１０２は、通帳１に設けられた磁気ストライプ２に記録された磁気データにアクセスし、口座番号や最終印字行数等の口座情報の読取りや書込みを行う。通帳印字面側バーコード読取機構部１０３は、通帳１の取引内容を印字する面側に印刷された通帳１の頁番号等の頁情報を表す通帳印字面側バーコード３を読取る。また、通帳表紙側バーコード読取機構部１０４は、通帳１の表紙側に印刷された口座番号や通帳の発行番号等の通帳情報を表す通帳表紙側バーコード４を読取る。本実施の形態における通帳記帳装置１００では、図１に示したように、磁気データ処理機構部１０２と通帳表紙側バーコード読取機構部１０４とが搬送機構部１０１の下側に近接して設けられており、省スペースかつ簡素な機構となっている。
【００１５】
図２Ａ〜Ｇは、通帳１に付されたバーコードや磁気ストライプの例を示す図である。図２Ａでは、通帳１の表紙側の一方に磁気ストライプが付されている場合の例を示している。また、図２Ｂでは、通帳１の表紙側の一方に通帳表紙側バーコード４が付されている場合の例を示している。さらに、図２Ｃでは、通帳１の表紙側の他の一方に通帳表紙側バーコード４が付されている場合の例を示している。
【００１６】
図２Ｄでは、通帳１の表紙側の一方に磁気ストライプ２が付され、他の一方に通帳表紙側バーコード４が付されている場合の例を示している。また、図２Ｅでは、通帳１の通帳印字面側の一方に通帳印字面側バーコード３が付されている場合の例を示している。さらに、図２Ｆでは、通帳１の表紙側の一方に、磁気ストライプ２と通帳表紙側バーコード４とが読取方向に近接して付されている場合の例を示している。そして、図２Ｇでは、通帳１の表紙側の一方に、磁気ストライプ２と通帳表紙側バーコード４とが通帳１の搬送方向に近接して付されている場合の例を示している。
【００１７】
このように、磁気ストライプ２や通帳印字面側バーコード３、あるいは通帳表紙側バーコード４が付されている通帳上の位置は様々である。しかし、図２Ｆおよび２Ｇに示した例では、磁気ストライプ２と通帳表紙側バーコード４とが互いに近接して付されているため、バーコードセンサ２０３（後述）が通帳表紙側バーコード４を読み取る際に磁気ヘッド２０１（後述）に接触し、その磁気ヘッド２０１に付着している磁気ストライプの磁性粉やその他の汚れ等がバーコードセンサ２０３に付着しやすい。その結果、バーコードセンサ２０３（後述）や通帳１の表紙を汚損させ、通帳表紙側バーコード４の読み取り精度の低下や誤認識を招いてしまうことがある。このような状況を回避するため、本実施の形態における通帳記帳装置１００では、後述するように、磁気ヘッド２０１をバーコードセンサ２０３から遠ざけた状態でバーコードセンサ２０３がバーコードを読み取るようにこれらの機構の動作を制御し、省スペースかつ簡素な機構を保ちつつ、上述した問題を解決している。続いて、図１に戻って、通帳記帳装置１００が備える他の各部について説明する。
【００１８】
印字機構部１０５は、入出金結果の取引内容等を表す取引情報を通帳１の所定の頁に印字する。画像データ取込機構部１０６は、通帳１の通帳印字面側の画像データを取込むことにより、その頁に印字されている取引情報の行数（例えば、通帳１の頁の何行目まで取引内容の印字がされているか）を検知する。また、画像データ取込機構部１０６は、通帳１に印刷されている通帳印字面側バーコード３を読取り、印字機構部１０５が上述した取引情報を印字した後、インクリボンの交換が必要な状態か否かを確認するための印字濃度を検知する。
【００１９】
頁替機構部１０７は、搬送機構部１０１によって搬送されてきた通帳１の頁捲りをする。通帳発行機構部１０８は、あらかじめ収納してある新規発行用の新通帳を発行するために、搬送機構部１０１に新たな通帳１を繰出す。通帳回収機構部１０９は、記帳処理終了後に取忘れとなった通帳１を回収し、または新通帳発行時における旧通帳を一時退避させる。制御部１１０は、通帳記帳装置１００を構成する各機構部を制御する。通信部１１１は、上位制御装置５との間で、上述した取引情報や口座情報等、取引に必要な種々の情報を送受信する。
【００２０】
図３は、図１に示した通帳記帳装置１００の機能的な構成を示すブロック図である。図３に示すように、通帳記帳装置１００は、機能的には、搬送機構部１０１と、磁気データ処理機構部１０２と、通帳印字面側バーコード読取機構部１０３と、通帳表紙側バーコード読取機構部１０４と、印字機構部１０５と、画像データ取込機構部１０６と、頁替機構部１０７と、通帳発行機構部１０８と、通帳回収機構部１０９と、制御部１１０と、通信部１１１と、を有し、通信部１１１を介して上位制御装置５と接続されている。これらの各部は図１において説明したものと同様であるためここではその説明を省略する。続いて、上述した磁気データ処理機構部１０２及び通帳表紙側バーコード読取機構部１０４の構成についてさらに詳細に説明する。
【００２１】
図４Ａ（ａ）〜Ｇ（ｂ）は、上述した磁気データ処理機構部１０２及び通帳表紙側バーコード読取機構部１０４の構成および動作の推移の例を示す図である。なお、図４Ａ（ａ）、４Ｂ（ａ）、４Ｃ（ａ）、４Ｄ（ａ）、４Ｅ（ａ）、４Ｆ（ａ）、４Ｇ（ａ）は、これらの各機構部を挿入口１２の側からみた場合の正面図である。また、図４Ａ（ｂ）、４Ｂ（ｂ）、４Ｃ（ｂ）、４Ｄ（ｂ）、４Ｅ（ｂ）、４Ｆ（ｂ）、４Ｇ（ｂ）は、それぞれ、読取方向からみた場合の各正面図に対応する側面図である。以下では、磁気データ処理機構部１０２及び通帳表紙側バーコード読取機構部１０４を総称して情報読取り機構部と呼ぶこともある。
【００２２】
図４Ａ（ａ）〜Ｇ（ｂ）に示すように、情報読取り機構部は、磁気ストライプ２に接触させて磁気データの読取りおよび書込みをする磁気ヘッド２０１と、後述する退避ガイド２１１により磁気ヘッド２０１を退避した状態で保持するための爪２１３、２１４をそれぞれ有したアームにより磁気ヘッド２０１を両側から挟みこんで保持するヘッドキャリア２０２と、通帳表紙側バーコード４の表面から受発光面まで規定範囲内の距離（多くの場合数ｍｍから数ｃｍ程度）を確保し、通帳表紙側バーコード４を読取るバーコードセンサ２０３と、バーコードセンサ２０３を支えて保持するための中心部分から外側に向かって伸び出たアームを有し、ヘッドキャリア２０２を両側から挟みこんでヘッドキャリア２０２の姿勢を支えるキャリアサポート２０４と、不図示のモータ等のアクチュエータにより駆動され、キャリアサポート２０４を軸方向に移動させるリードスクリュー２０５と、磁気ヘッド２０１を磁気ストライプ２に近づける方向にヘッドキャリア２０２に付勢力を与えるばね２０６と、キャリアサポート２０４がリードスクリュー２０５の軸回りに回転することを規制し、後述するローラガイド２０８に倣ってキャリアサポート２０４を通帳１の搬送方向に対して垂直方向への移動を補助するためのローラ２０７と、ローラ２０７の移動をガイドするローラガイド２０８と、リードスクリュー２０５と噛み合うナット２０９と、上方向に付勢力を与えるばね２１２により、リードスクリュー２０５の軸方向にヘッドキャリア２０２が移動した場合におけるヘッドキャリア２０２の上下方向の位置を規制する制御ガイド２１０と、ばね２０６が付勢力を蓄えた状態で移動前のヘッドキャリア２０２を退避位置に退避させるための退避ガイド２１１と、を有して構成されている。
【００２３】
また、搬送される通帳１を進行方向に搬送させる上搬送ガイド２１７および下搬送ガイド２１８と、これらの搬送ガイドの基準面を定めるための基準搬送ガイド２１６とによって通帳１の搬送路が構成され、下搬送ガイド２１８の一部には、磁気ヘッド２０１やバーコードセンサ２０３が通帳１にアクセスできるようにするための搬送路開口部が設けられ、搬送路には、この搬送路開口部を開閉するシャッタ２１５が設けられている。
【００２４】
以下に示すように、キャリアサポート２０４およびヘッドキャリア２０２は、リードスクリュー２０５の軸方向（すなわち、データの読取り方向）に一体で移動し、キャリアサポート２０４のアームによって保持されるバーコードセンサ２０３およびヘッドキャリア２０２のアームによって挟んで保持される磁気ヘッド２０１も、これらと共に一体で移動する。このように、キャリアサポート２０４およびヘッドキャリア２０２を一体で移動する場合、一つのモータ等のアクチュエータでリードスクリュー２０５を回転させることができ、別個にアクチュエータを設ける必要なく、現状の構成を維持出来るようになっている。
【００２５】
また、情報読取り機構部は、リードスクリュー２０５のような、キャリアサポート２０４を軸方向に移動させる移動機構と、制御ガイド２１０や退避ガイド２１１のような、磁気ヘッド２０１と通帳１の磁気ストライプ２及び通帳１の通帳表紙側バーコード４との接触を制御するように磁気ヘッド２０１を配置する（すなわち、磁気ヘッド２０１を通帳１の通帳表紙側バーコード４から離間して配置する）ためのガイド機構とを有しているため、省スペースかつ簡素な機構を保ちつつ、バーコードセンサ２０３や通帳１の表紙を汚損させてしまうことがなくなる。なお、制御ガイド２１０は、少なくともバーコードセンサ２０３が通帳表紙側バーコード４を読取る間、磁気ヘッド２０１が下方向に押さえられた状態を維持する程度の長さを有しているものとし、その間、磁気ヘッド２０１は通帳１から離れた位置で保持された状態を維持する。
【００２６】
なお、制御ガイド２１０は、ヘッドキャリア２０２の進行方向に対向する側（進行方向とは反対側）の端部２１０Ａが鋭角となっており、その鋭角の先端部は、ヘッドキャリア２０２のアームが有する爪２１４の上端部よりも上方となるように配置されている。このような配置とすることにより、ヘッドキャリア２０２がリードスクリュー２０５の軸方向に進行し、ヘッドキャリア２０２の上端部が制御ガイド２１０に当接した際に、ヘッドキャリア２０２のアームが有する爪２１４が制御ガイド２１０の下側に潜り込む。その結果、ヘッドキャリア２０２全体も制御ガイド２１０の下側に潜り込み、通帳表紙側バーコード４や磁気ストライプ２の位置から離れた状態で移動することができるようになっている。なお、本実施の形態では、上述した制御ガイド２１０の端部２１０Ａは鋭角であるとして説明しているが、先端部がヘッドキャリア２０２の上端部よりもやや上方に位置するものであれば、丸みをおびた形状であってもよい。
【００２７】
また、上述した制御ガイド２１０の端部２１０Ａおよびヘッドキャリア２０２の進行方向側の一端である退避ガイド２１１のエッジ部２１１Ａの幅は、ヘッドキャリア２０２のそれぞれのアームが有する爪２１３、２１４の幅よりもやや狭くなるように構成されている。その理由は、ヘッドキャリア２０２が進行方向に移動する際に、少なくとも搬送路の内側方向の位置にある爪２１３または搬送路の外側方向の位置にある爪２１４のどちらかが制御ガイド２１０または退避ガイド２１１に当接した状態となっている必要があるためである。このような状態を維持することにより、ヘッドキャリア２０２は、上述した端部２１０Ａおよびエッジ部２１１Ａの間にある隙間を越える際に、ばね２０６の弾性力によって付勢されて通帳表紙側バーコード４や磁気ストライプ２の位置に近づくことなく、進行方向に沿ってスムーズに移動することができる。
【００２８】
なお、本実施の形態では、磁気ヘッド２０１とバーコードセンサ２０３とが読取り方向に並んだ配置となるように、キャリアサポート２０４が有するアームの長さとヘッドキャリア２０２が有するアームの長さとを略同じ長さとし、その両者が同軸で回動する構成としている。しかし、例えば、磁気ストライプ２および通帳表紙側バーコード４の位置が通帳１の搬送方向にずれている場合には、上述した各部のアームの長さを変えることにより、磁気ヘッド２０１およびバーコードセンサ２０３を搬送方向にずらして配置することとしてもよい。続いて、通帳記帳装置１００が行う記帳処理について説明する。
【００２９】
図５は、通帳記帳装置１００が行う記帳処理の処理手順を示すフローチャートである。以下では、通帳１が磁気ストライプ２又は表紙側バーコード４のいずれを有しているか判明していない状態で挿入されるものとする。そして、挿入された通帳１が磁気ストライプ２を有している場合は、磁気データ処理機構部１０２は磁気ヘッド２０１によりその磁気データを読取って口座情報を取得し、表紙側バーコード４を有している場合は、通帳表紙側バーコード読取機構部１０４はバーコードセンサ２０３によりそのバーコードを読取って通帳情報を取得し、以降の処理に移行する。
【００３０】
図５に示すように、まず、通帳記帳装置１００は、挿入口１１２が、記帳処理の対象となる通帳１の挿入を受け付けると（ステップＳ５０１）、搬送機構部１０１が、その通帳１を磁気データ処理機構部１０２および通帳表紙側バーコード読取機構部１０４位置付近まで搬送し、磁気データ処理機構部１０２および通帳表紙側バーコード読取機構部１０４は、磁気ストライプ又は通帳表紙側バーコードの読取り（読取り処理）を行った後、読み取った磁気ストライプ２又は通帳表紙側バーコード４に含まれる口座番号や口座名義人等の口座情報を取得し（ステップＳ５０２）、通信部１１１は、取得された口座情報を上位制御装置５へ送信する（ステップＳ５０３）。ここで、ステップＳ５０２において行われる読取り処理について説明する。
【００３１】
図６は、上述した読取り処理の処理手順を示すフローチャートである。図６に示すように、通帳記帳装置１００は、搬送機構部１０１が、まず、通帳１の表紙側バーコード４が印刷されている場合を前提として、通帳搬送方向の表紙側バーコード４の印刷位置が、バーコードセンサ２０３の読取り位置に合うように通帳１を搬送し、通帳１の停止位置をバーコードセンサ２０３に合わせる（ステップＳ６０１）。
【００３２】
次に、磁気ヘッド２０１とバーコードセンサ２０３が通帳１にアクセスできるようにするため、搬送機構部１０１は、搬送路開口部に設けられたシャッタ２１５を開く（ステップＳ６０２）。
【００３３】
このとき、図４Ａ、４Ｂに示したように、キャリアサポート２０４は、搬送路外側の所定の位置に退避した状態となっている。より具体的には、退避ガイド２１１が、ヘッドキャリア２０２の爪２１３、２１４を押さえられた状態にあるため、ばね２０６による付勢力がヘッドキャリア２０２のアームの回動方向に解放されず、磁気ヘッド２０１は搬送路開口部より下方向に下がった位置で退避した状態となっている（図４Ａ（ａ）、（ｂ））。
【００３４】
そして、読取機構部は、リードスクリュー２０５を回転させ、搬送路外側の所定の位置に退避しているキャリアサポート２０４を搬送路内側方向（読取方向）に移動させる（ステップＳ６０３）。
【００３５】
このときの動作を具体的に説明すると、キャリアサポート２０４の移動開始時には、ヘッドキャリア２０２の爪２１３、２１４が退避ガイド２１１により押さえられているため、磁気ヘッド２０１は搬送路開口部より下に下がった位置にある。キャリアサポート２０４が移動するにつれて、ヘッドキャリア２０２に支えられた磁気ヘッド２０１もこれと共に移動し、磁気ヘッド２０１は基準搬送ガイド２１６の下側を通過し、通帳１に接触したり近づくことなく搬送路内側に徐々に移動する。
【００３６】
そして、キャリアサポート２０４とともにヘッドキャリア２０２が移動し、搬送路内側に進入すると、退避ガイド２１１に押さえられているヘッドキャリア２０２の爪２１３が退避ガイド２１１から外れようとするが、もう一方の爪２１４が制御ガイド２１０により押さえられた状態となる（図４Ｂ（ａ）、（ｂ））。したがって、ヘッドキャリア２０２は、退避した状態と同様に、磁気ヘッド２０１は搬送路開口部より下方向に下がった状態を保ったまま、進行方向に移動を続けることができる。
【００３７】
このように、処理開始時の退避した状態と同様に押し下げられた状態でキャリアサポート２０４を移動させることにより、ヘッドキャリア２０２に挟みこまれた磁気ヘッド２０１を、搬送路開口部側に露出させることがない。したがって、磁気ヘッド２０４を通帳１に近接させ、または接触させることなく、確実にバーコードセンサ２０３が表紙側バーコード４を読取ることが可能となる（図４Ｃ（ａ）、（ｂ））。
【００３８】
読取機構部がキャリアサポート２０４を通帳１に印刷されている通帳表紙側バーコード４の印刷位置を越える位置まで移動させ、通帳表紙側バーコード読取機構部１０４は、バーコードセンサ２０３により通帳表紙側バーコード４の読取りを試みる（ステップＳ６０４）。その結果、通帳表紙側バーコード読取機構部１０４が通帳表紙側バーコード４の読取りができた場合（ステップＳ６０５；Ｙｅｓ）、搬送されてきた通帳１は、磁気ストライプ２でなく通帳表紙側バーコード４を備える通帳であることが確定するため、ステップＳ６１１に進む。
【００３９】
そして、読取機構部はキャリアサポート２０４の移動を停止させ、リードスクリュー２０５を逆回転させてキャリアサポート２０４を搬送路外側の所定の退避位置に移動させた後（ステップＳ６１１）、シャッタ２１５を閉めた後（ステップＳ６１２）、図６に示した読取り処理を終了させ、図５に示した記帳処理に戻って取引内容の印字等、次の処理に移行する。
【００４０】
一方、通帳表紙側バーコード読取機構部１０４が通帳表紙側バーコード４の読取りができなかった場合（ステップＳ６０５；Ｎｏ）、搬送されてきた通帳１は、通帳表紙側バーコード４ではなく磁気ストライプ２を備える通帳であるため、読取機構部は、続いて磁気データの読取りを試みる。この時、磁気ストライプ２を備える通帳と判定する前に、通帳表紙側バーコード４読取りのリトライを試みても良い。
【００４１】
そして、読取機構部は、磁気ストライプ２を備えた通帳１の搬送方向から見た磁気ストライプ２の位置が、磁気ヘッド２０１の読取り位置および書込み位置と合うように、搬送機構部１０１により通帳１を搬送し、通帳１の停止位置を磁気ヘッド２０１に合わせる（Ｓ６０６）。
【００４２】
このとき、図４Ｃ（ａ）、（ｂ）に示したように、通帳表紙側バーコード４の読取りができなかった状態では、ヘッドキャリア２０２の爪２１３が制御ガイド２１０に押し下げられたままの状態となっている。そのため、磁気ヘッド２０１もこれと同様に搬送路開口部より下側に押し下げられたままの状態となっており、磁気ヘッド２０１が通帳１の磁気ストライプ２に接触することはない。
【００４３】
しかし、読取機構部は、この状態から、さらにリードスクリュー２０５を回転させ、図４Ｄ（ａ）、（ｂ）に示すように、ヘッドキャリア２０２の爪２１３が制御ガイド２１０から外れる位置まで移動させることにより、制御ガイド２１０に押し下げられていた爪２１３が上方向に開放される。その結果、ヘッドキャリア２０２が搬送路開口部方向に上昇し、磁気ヘッド２０１を通帳１の磁気ストライプ２に接触させることができるようになる（ステップＳ６０７）。この時、読取機構部は、磁気ヘッド２０１が、磁気ストライプ２の磁気データが記録されている途中の位置にあれば、リードスクリュー２０５をさらに回転させてキャリアサポート２０４を移動させ、磁気ヘッド２０１を磁気データの読取り、書込み開始位置まで移動させる（ステップＳ６０８、図４Ｅ（ａ）、（ｂ））。
【００４４】
そして、読取機構部は、リードスクリュー２０５を逆回転させてキャリアサポート２０４を退避位置側（すなわち、磁気データの読取方向）に移動させ（ステップＳ６０９）、磁気データ処理機構部１０２が磁気ヘッド２０１により通帳１に付された磁気ストライプ２の磁気データを読取る（ステップＳ６１０、図４Ｆ（ａ）、（ｂ））。
【００４５】
読取機構部は、磁気ストライプ２の磁気データを読取った後、そのままキャリアサポート２０４を読取方向に移動させると、ヘッドキャリア２０２の爪２１３が退避ガイド２１０に押されてヘッドキャリア２０２が搬送路開口部より下に下がり始める。この時、ヘッドキャリア２０２の爪２１４の下側が制御ガイド２１０の上部に接触する。制御ガイド２１０はばね２１２で上方向に付勢されているが、爪２１４の下側と接触した制御ガイド２１０は爪２１４により押し下げられ、下方向に逃げるように動くこととなる。これにより、キャリアサポート２０４は、ヘッドキャリア２０２が下がった状態で基準搬送ガイド２１６を下側に逃げ、所定の退避位置に戻ることができる（ステップＳ６１１、図４Ｇ（ａ）、（ｂ））。
【００４６】
その後、読取機構部は、シャッタ２１５を閉めた後（ステップＳ６１２）、図６に示した読取り処理を終了させ、図５に示した記帳処理に戻って取引内容の印字等、次の処理に移行する。このステップＳ６１２の処理が終了すると、図６に示した読取り処理にすべての処理が終了する。続いて、図５に戻って、ステップＳ５０３以降の処理について説明する。
【００４７】
通信部１１１は、取得された口座情報を上位制御装置５へ送信すると（ステップＳ５０３）、上位制御装置５からその口座情報に対応する取引データを受信し（ステップＳ５０４）、印字機構部１０５は、現時点で取引の内容を印字する通帳１の頁に何行目まで取引内容の印字がされているか検知することにより、通帳１の頁の何行目から印字を開始するか確定し（ステップＳ５０５）、上位制御装置５から受信した取引データに記録されている取引内容を印字する（ステップＳ５０６）。
【００４８】
その後、印字機構部１０５は、取引データに記録されている取引内容の印字が完了したか否かを判定し（ステップＳ５０７）、取引データに記録されている取引内容の印字が完了したと判定した場合（ステップＳ５０７；Ｙｅｓ）、ステップＳ５１７に進む。
【００４９】
一方、印字機構部１０５は、取引データに記録されている取引内容の印字が完了していないと判定した場合（ステップＳ５０７；Ｎｏ）、さらにその頁の最終行に印字済か否かを判定し（ステップＳ５０８）、その頁の最終行に印字済ではないと判定した場合（ステップＳ５０８；Ｎｏ）、ステップＳ５０６に戻って取引内容の印字を続ける。
【００５０】
印字機構部１０５は、その頁の最終行に印字済と判定した場合（ステップＳ５０８；Ｙｅｓ）、さらにその頁が最終頁であるか否かを判定し（ステップＳ５０９）、その頁が最終頁であると判定した場合（ステップＳ５０９；Ｙｅｓ）、ステップＳ５１３に進む。
【００５１】
一方、印字機構部１０５が、その頁が最終頁でないと判定した場合（ステップＳ５０９；Ｎｏ）、頁替機構部１０７は、その頁を捲り（ステップＳ５１０）、通帳印字面側バーコード読取機構部１０３は、通帳印字面側バーコード３を読取り（ステップＳ５１１）、頁替機構部１０７は、頁捲りが完了したか否か判定する（ステップＳ５１２）。
【００５２】
そして、頁替機構部１０７は、頁捲りが完了していないと判定した場合（ステップＳ５１２；Ｎｏ）、ステップＳ５１０に戻って頁捲りを続け、頁捲りが完了したと判定した場合（ステップＳ５１２；Ｙｅｓ）、ステップＳ５０６に戻って取引内容の印字を続ける。
【００５３】
ステップＳ５０９において、印字機構部１０５が、その頁が最終頁であると判定した場合（ステップＳ５０９；Ｙｅｓ）、通帳１に印字できる頁が無くなったと判断し、搬送機構部１０１は、新しい通帳１を発行するために旧通帳を一旦退避させる（ステップＳ６１３）。
【００５４】
その後、通帳発行機構部１０８が新通帳を発行し（ステップＳ５１４）、印字機構部１０５が取引内容を印字した後（ステップＳ５１５）、搬送機構部１０１が新通帳及び旧通帳を挿入口１１２まで搬送し、これらの通帳を返却する（ステップＳ５１６、Ｓ５１７）。
【００５５】
そして、通帳回収機構部１０９は、返却した通帳の取忘れがあったか否かを判定し（ステップＳ５１８）、返却した通帳の取忘れがあったと判定した場合（ステップＳ５１８；Ｙｅｓ）、その通帳を回収し（ステップＳ５１９）、記帳処理を終了させる（ステップＳ５２０）。なお、通帳回収機構部１０９は、返却した通帳の取忘れがあったと判定しない場合（ステップＳ５１８；Ｎｏ）、何もせずにそのまま記帳処理を終了させる。このステップＳ５２０の処理が終了すると、図５に示した記帳処理のすべての処理が終了する。
【００５６】
このように、磁気ストライプ２と、磁気ストライプ２とは異なる通帳表紙側バーコード４とが表紙側に付された通帳類を取り扱う通帳記帳装置１００において、磁気ストライプ２を読取る磁気データ処理機構部１０２と、通帳表紙側バーコード４を読取る通帳表紙側バーコード読取機構部１０４と、磁気データ処理機構部１０２と通帳表紙側バーコード読取機構部１０４とを、磁気ストライプ２または通帳表紙側バーコード４の読取方向に移動させるリードスクリュー５と、磁気データ処理機構部１０２（磁気ヘッド２０１）を通帳類から離間して配置するためのガイド機構部（制御ガイド２１０や退避ガイド２１１）とを有し、制御部１１０が通帳表紙側バーコード読取機構部１０４（バーコードセンサ２０３）が通帳表紙側バーコード４を読取る際に、磁気データ処理機構部１０２（磁気ヘッド２０１）を通帳類に接触させないようにガイド機構部（制御ガイド２１０や退避ガイド２１１）に沿って移動させるので、通帳表紙側に磁気ストライプを備える通帳と、バーコードのような通帳表紙側に磁気ストライプに代わる手段を備える通帳のどちらの通帳も同一の装置で取扱う場合において、読取機構部のように、磁気ヘッドに近接させて、バーコードのような磁気ストライプに代わる手段の読取り及び書込みを行うデバイスを実装しても、磁気ヘッドの接触により、バーコードセンサのような磁気ストライプに代わる手段の汚損を、省スペースで簡素な機構により防止することが可能となる。
【００５７】
なお、本実施例では、磁気ストライプ２に代わる手段を備える通帳として、バーコードセンサ２０３で読取りを行う通帳表紙側バーコード４が印刷された通帳で説明しているが、ＩＣ（Integrated  Circuit）チップリーダで読取りを行うＩＣチップが埋込まれた通帳等でも良い。また、ヘッドキャリア２０２の位置制御を、退避ガイド２１１や制御ガイド２１０でなく、ソレノイド等のアクチュエータにより位置制御を行う構成でも良い。
【符号の説明】
【００５８】
１        通帳
２        磁気ストライプ
３        通帳印字面側バーコード
４        通帳表紙側バーコード
５        上位制御装置
１００    通帳記帳装置
１０１    搬送機構部
１０２    磁気データ処理機構部
１０３    通帳印字面側バーコード読取機構部
１０４    通帳表紙側バーコード読取機構部
１０５    印字機構部
１０６    画像データ取込機構部
１０７    頁替機構部
１０８    通帳発行機構部
１０９    通帳回収機構部
１１０    制御部
１１１    通信部
１１２    挿入口
２０１    磁気ヘッド
２０２    ヘッドキャリア
２０３    バーコードセンサ
２０４    キャリアサポート
２０５    リードスクリュー
２０６    ばね
２０７    ローラ
２０８    ローラガイド
２０９    ナット
２１０    制御ガイド
２１０Ａ  制御ガイドの端部
２１１    退避ガイド
２１１Ａ  退避ガイドのエッジ部
２１２    ばね
２１３    爪（搬送路の内側方向に配置）
２１４    爪（搬送路の外側方向に配置）
２１５    シャッタ
２１６    基準搬送ガイド
２１７    上搬送ガイド
２１８    下搬送ガイド。
【図１】
0005770617.tif 000002
【図２Ａ】
0005770617.tif 000003
【図２Ｂ】
0005770617.tif 000004
【図２Ｃ】
0005770617.tif 000005
【図２Ｄ】
0005770617.tif 000006
【図２Ｅ】
0005770617.tif 000007
【図２Ｆ】
0005770617.tif 000008
【図２Ｇ】
0005770617.tif 000009
【図３】
0005770617.tif 000010
【図４Ａ】
0005770617.tif 000011
【図４Ｂ】
0005770617.tif 000012
【図４Ｃ】
0005770617.tif 000013
【図４Ｄ】
0005770617.tif 000014
【図４Ｅ】
0005770617.tif 000015
【図４Ｆ】
0005770617.tif 000016
【図４Ｇ】
0005770617.tif 000017
【図５】
0005770617.tif 000018
【図６】
0005770617.tif 000019